(57)【要約】【課題】手間がかからずしかも正確にペットの体重を測ることにある。【解決手段】ペット用の居場所の下に設置されて、その居場所にペットが乗っている状態と乗っていない状態とのその居場所の重量を計測する重量計測手段１と、前記重量計測手段が出力する居場所重量データの変化の程度に基づき前記ペットについての重量を算出して表示出力する重量算出手段２とを具えてなる、ペット用自動体重計測システムである。【選択図】図１
2007330200.tif 000002
【特許請求の範囲】
【請求項１】
ペット用の居場所の下に設置されて、その居場所にペットが乗っている状態と乗っていない状態とのその居場所の重量を計測する重量計測手段と、
前記重量計測手段が出力する居場所重量データの変化の程度に基づき前記ペットについての重量を算出して表示出力する重量算出手段と、
を具えてなる、ペット用自動体重計測システム。
【請求項２】
前記重量計測手段は、
前記居場所を下から支持する梁部材と、
前記梁部材の曲げ歪を検出する歪ゲージと、
前記歪ゲージの出力データに基づき前記居場所の重量を演算して出力する重量演算手段と、
を具えることを特徴とする、請求項１記載のペット用自動体重計測システム。
【請求項３】
前記重量計測手段は、ペットに付けられたＲＦタグに記録されたペット識別情報を無線で読み取って前記重量算出手段に出力するＲＦタグ読み取り手段を具え、
前記重量算出手段は、そのペット識別情報により識別したペットの名称とともに前記ペットについての重量を表示出力することを特徴とする、請求項１または２記載のペット用自動体重計測システム。
【発明の詳細な説明】
【技術分野】
【０００１】
この発明は、犬や猫等のペット用の自動体重計測システムに関するものである。
【背景技術】
【０００２】
犬や猫等のペットの体重を計測する際、従来は、飼い主等の人が体重計にペットを乗せてその体重計の目盛を読み取っているのが通常である。
【発明の開示】
【発明が解決しようとする課題】
【０００３】
しかしながらこのようにすると、ペットが動いてしまって体重が正確に測れないという問題や、人がいちいち体重計にペットを乗せるので手間がかかるという問題があった。
【０００４】
さらに、ペットの健康管理のために、排泄の回数や排泄物の量を確認できるようにしたいという要請もあった。
【課題を解決するための手段】
【０００５】
この発明は、上記課題を有利に解決することを目的とするものであり、この発明のペット用自動体重計測システムは、ペット用の居場所の下に設置されて、その居場所にペットが乗っている状態と乗っていない状態とのその居場所の重量を計測する重量計測手段と、前記重量計測手段が出力する居場所重量データの変化の程度に基づき前記ペットについての重量を算出して表示出力する重量算出手段と、を具えてなるものである。
【発明の効果】
【０００６】
かかるこの発明のペット用自動体重計測システムにあっては、ペット用のトイレや寝場所等の居場所の下に設置された重量計測手段が、その居場所にペットが乗っている状態と乗っていない状態とのその居場所の重量を計測し、重量算出手段が、前記重量計測手段が出力する居場所重量データの、ペットが乗っている状態と乗っていない状態との間の変化の程度に基づきペットについてに重量すなわち体重等を算出して表示出力する。
【０００７】
従って、この発明のペット用自動体重計測システムによれば、ペット用のトイレや寝場所等の、ペットの居場所の、ペットが乗っている状態と乗っていない状態との間の重量差に基づきペットの体重を自動的に計測するので、人がいちいち体重計にペットを乗せる必要がないため手間がかからず、しかもペットの居場所ではペットの状態も安定することから、体重を正確に測ることができる。
【０００８】
さらに、前記ペット用の居場所をトイレとした場合には、ペットが乗る前の居場所の重量と排泄が済んでペットが降りた後の居場所の重量との差からそのペットの排泄物の重量を自動的に計測することができ、またペットが乗る前と降りた後の居場所の重量変化があった回数からそのペットの排泄回数を自動的に計測することができるので、排泄面からのペットの健康管理にも役立てることができる。
【０００９】
なお、この発明のペット用自動体重計測システムにおいては、前記重量計測手段は、前記居場所を下から支持する梁部材と、前記梁部材の曲げ歪を検出する歪ゲージと、前記歪ゲージの出力データに基づき前記居場所の重量を演算して出力する重量演算手段と、を具えていても良く、このようにすれば、ペット用の居場所と床面との間には実質上、梁を居場所の重量で僅かに曲がれるように配置するだけで良いので、重量計測手段を薄型に構成し得て、床面からの居場所の高さを小猫等の小さなペットでも容易に居場所に出入りできるように充分に低くすることができる。
【００１０】
さらに、この発明のペット用自動体重計測システムにおいては、前記重量計測手段は、ペットに付けられたＲＦタグに記録されたペット識別情報を無線で読み取って前記重量算出手段に出力するＲＦタグ読み取り手段を具え、前記重量算出手段は、そのペット識別情報により識別したペットの名称とともに前記ペットについての重量を表示出力するものとしても良く、このようにすれば、前記居場所を複数匹のペットが交代で使用するような場合でも、ペット毎の計測結果を容易に識別することができる。
【発明を実施するための最良の形態】
【００１１】
以下、本発明の実施の形態を実施例によって、図面に基づき詳細に説明する。ここに、図１は、この発明のペット用自動体重計測システムの一実施例の構成を示す説明図、図２（ａ），（ｂ）および（ｃ）は、その実施例のペット用自動体重計測システムを構成する体重計の一部を天板を除き示す一部切り欠き拡大斜視図、その体重計の計測梁を示す透視図およびその計測梁を示す体重計の縦断面図、図３は、上記体重計の電気系統を示すブロック線図、そして図４は上記体重計とともに上記実施例のペット用自動体重計測システムを構成する管理装置を示す説明図である。
【００１２】
この実施例のペット用自動体重計測システムは、図１に示すように、重量計測手段としての体重計１と、重量算出手段としての管理装置２とを具え、ここにおける体重計１は、体重計本体３と制御部４とを有しており、ここで、体重計本体３は、図２に示すように、ペットの居場所としての図示しないトイレ用砂場を上に設けられた天板５と、その天板５を支持するように角パイプ６で構成された天板支持フレーム７と、その天板支持フレーム７の長辺をなす両側部の角パイプ６内に遊挿されてそれらの角パイプ６の中央部をそれぞれ中央部で支持する二本の角棒状の計測梁８と、それらの計測梁８の長手方向両端部に設けられて上記角パイプ６の下面の穴から下方に突出する支持脚９と、二本の計測梁８の各々の中央部と長手方向両端部との間の中間部にそれぞれ配置されて計測梁８の上下面に貼着され、両端支持梁としての計測梁８の中央部の下方への撓み量に応じて伸縮して抵抗値を変化させる重量センサーとしての合計８枚の歪ゲージ１０とを有している。
【００１３】
また、制御部４は、図３に示すように、二本の計測梁８の各中間部の上下面に貼着された二枚の歪ゲージ１０と組み合わせて四組のブリッジ１１を構成するための抵抗１２と、それらのブリッジ１１に基準電圧を供給するブリッジドライバー１３と、それらのブリッジ１１の出力信号をそれぞれ増幅する四台のアンプ１４と、それらのアンプ１４の出力信号をアナログデータからデジタルデータに変換するアナログ・デジタル（Ａ／Ｄ）コンバーター１５と、そのＡ／Ｄコンバータ１５が出力する四組のブリッジ１１の出力信号を所定時間（例えば１分）毎に入力し、四組のブリッジ１１の出力値を合計して、その合計値と事前に所定重量の錘を用いたキャリブレーションで求めた基準値とを比較することにより、天板５に加わっている重量を求める中央処理ユニット（ＣＰＵ）１６と、天板５上に乗ったペットＰの例えば首輪等に付けられた通常のＲＦタグＴに対しアンテナ１７ａにより無線で交信してそのＲＦタグＴに記録された当該ペットＰの名前等に対応する識別情報（番号等）を読み出すＲＦタグリーダー１７と、ＣＰＵ１６が例えば所定時間毎に求めた重量データをその重量データの計測時にＲＦタグリーダー１７が読み取ったペットＰの識別情報とともに記録するメモリー１８と、メモリー１８が記録した重量データとその重量データの計測時にＲＦタグリーダー１７が読み取ったペットＰの識別情報とを画面上に表示するディスプレイ１９（図１では図示せず）と、メモリー１８が記録した重量データとその重量データの計測時にＲＦタグリーダー１７が読み取ったペットＰの識別情報とを無線で送信する送信機（ＴＸ）２０と、商用電源からの交流電圧を適当な電圧の直流に変換してＣＰＵ１６等に供給する電源２１とを有している。
【００１４】
一方、管理装置２は、ＴＸ１８が送信するデータを受信する受信機（ＲＸ）２２と、そのＲＸ２２が受信した重量データおよびその重量データの計測時のペットＰの識別情報を逐次記録するメモリー２３と、そのメモリー２３が逐次記録した重量データおよびペットＰの識別情報からペットＰの識別情報毎に重量データの変化状態を監視して、前回の重量データより重量が最低体重以上増加した場合はペットＰが天板５上のトイレ用砂場に乗り、前回の重量データより重量が最低体重以上減少した場合はペットＰが天板５上のトイレ用砂場から降りたと判断し、後述の如くしてペットＰの体重等を計算して求めるＣＰＵ２４と、ＣＰＵ２４にペットＰの名前や乗り降り判断のための上記最低体重等の設定条件を入力あるいは指定するためのキーボードやマウス等のインターフェース２５と、ＣＰＵ２４がペットＰの識別情報毎に求めたペットＰの体重等のデータを画面上に表示するディスプレイ２６と、商用電源からの交流電圧を適当な電圧の直流に変換してＣＰＵ２４等に供給する電源２７とを有しており、具体的には、ＲＸ２２を除けば通常のパーソナルコンピュータ（ＰＣ）２８で構成されている。
【００１５】
しかしてＣＰＵ２４は、ペットＰの識別情報毎に、上記の如くして天板５上のトイレ用砂場に対するペットＰの乗り降りを検出し、天板５上のトイレ用砂場にペットＰが乗っている時の計測重量から、天板５上のトイレ用砂場にペットＰが乗っていない時の計測重量を引き算することでペットＰの体重を求めるとともに、例えば天板５上のトイレ用砂場にペットＰが乗ってから降りた直後の計測重量（排泄物がトイレに残っていると推測される）から、天板５上のトイレ用砂場にペットＰが乗る直前の計測重量（排泄物は掃除されていてトイレにないと推測される）を引き算することでペットＰの排泄物の重量を求め、それらの計測データを、例えばそのデータの計測時である、天板５上のトイレ用砂場にペットＰが乗っている時の時刻とともにメモリー２３に出力してそこに記録させ、さらに、ペットＰの識別情報毎に、その排泄物の重量データの、所定期間、例えば一日の間での数を所定期間の排泄回数として求め、その排泄回数データをメモリー２３に出力してそこに記録させ、さらにディスプレイ２６に、それら体重および排泄物重量のデータを、ペットＰの識別情報に対応するペットＰの名前とともに表示させる。
【００１６】
従って、この実施例のペット用自動体重計測システムによれば、ペットＰ用のトイレ用砂場の、ペットＰが乗っている状態と乗っていない状態との間の重量差に基づきペットＰの体重を自動的に計測するので、人がいちいち体重計にペットＰを乗せる必要がないため手間がかからず、しかもトイレ用砂場ではペットＰの状態も安定することから、ペットＰの体重を正確に測ることができる。
【００１７】
さらに、ペット用の居場所をトイレ用砂場としていることから、ペットＰが乗る前の居場所の重量と排泄が済んでペットＰが降りた後の居場所の重量との差からそのペットＰの排泄物の重量を自動的に計測することができ、またペットＰが乗る前と降りた後の居場所の重量変化があった回数からそのペットＰの所定期間の排泄回数を自動的に計測することができるので、排泄面からのペットＰの健康管理にも役立てることができる。
【００１８】
さらに、この実施例のペット用自動体重計測システムによれば、体重計１は、トイレ用砂場を載せた天板５を下から支持する計測梁８と、その計測梁８の曲げ歪を検出する歪ゲージ１０とを有する体重計本体３と、その歪ゲージ１０の出力データに基づきトイレ用砂場の重量を演算して出力する重量演算手段としてのＣＰＵ１６とを具えていることから、トイレ用砂場を載せた天板５と床面との間には実質上、計測梁８をトイレ用砂場の重量で僅かに曲がれるように配置するだけで良いので、体重計本体３を薄型に構成し得て、床面からのトイレ用砂場の高さを小さなペットＰでも容易にそこに出入りできるように充分に低くすることができる。
【００１９】
さらに、この実施例のペット用自動体重計測システムによれば、体重計１は、ペットＰに付けられたＲＦタグＴに記録されたペットＰの識別情報を無線で読み取って管理装置２のＰＣ２８に出力するＲＦタグ読み取り手段としてのＲＦタグリーダー１７を具えており、ＰＣ２８は、そのペットＰの識別情報により識別したペットの名前とともに前記ペットについての重量を表示出力するので、トイレ用砂場を複数匹のペットＰが交代で使用するような場合でも、ペットＰ毎の計測結果を容易に識別することができる。
【００２０】
以上、図示例に基づき説明したが、この発明は上述の例に限定されるものでなく、特許請求の範囲の記載範囲内で適宜変更でき、例えば、ペットの居場所は、トイレ用砂場でなく寝場所等としても良く、また重量センサーは、感圧シート等でも良い。そして体重計１と管理装置２とは、上記例では別体にして無線で接続したが一体に構成しても良く、その場合に管理装置２を体重計本体３とは分けて制御部４と一体に構成しても良い。
【産業上の利用可能性】
【００２１】
かくしてこの発明のペット用自動体重計測システムによれば、ペット用のトイレや寝場所等の、ペットの居場所の、ペットが乗っている状態と乗っていない状態との間の重量差に基づきペットの体重を自動的に計測するので、人がいちいち体重計にペットを乗せる必要がないため手間がかからず、しかもペットの居場所ではペットの状態も安定することから、体重を正確に測ることができる。
【００２２】
さらに、前記ペット用の居場所をトイレとした場合には、ペットが乗る前の居場所の重量と排泄が済んでペットが降りた後の居場所の重量との差からそのペットの排泄物の重量を自動的に計測することができ、またペットが乗る前と降りた後の居場所の重量変化があった回数からそのペットの排泄回数を自動的に計測することができるので、排泄面からのペットの健康管理にも役立てることができる。
【図面の簡単な説明】
【００２３】
【図１】この発明のペット用自動体重計測システムの一実施例の構成を示す説明図である。
【図２】（ａ），（ｂ）および（ｃ）は、上記実施例のペット用自動体重計測システムを構成する体重計の一部を天板を除き示す一部切り欠き拡大斜視図、その体重計の計測梁を示す透視図およびその計測梁を示す体重計の縦断面図である。
【図３】上記実施例における体重計の電気系統を示すブロック線図である。
【図４】上記体重計とともに上記実施例のペット用自動体重計測システムを構成する管理装置を示す説明図である。
【符号の説明】
【００２４】
１  体重計
２  管理装置
３  体重計本体
４  制御部
５  天板
６  角パイプ
７  天板支持フレーム
８  計測梁
９  支持脚
１０  歪ゲージ
１１  ブリッジ
１２  抵抗
１３  ブリッジドライバー
１４  アンプ
１５  アナログ・デジタル（Ａ／Ｄ）コンバーター
１６，２４  中央処理ユニット（ＣＰＵ）
１７  ＲＦタグリーダー
１７ａ  アンテナ
１８，２３  メモリー
１９，２６  ディスプレイ
２０  送信機（ＴＸ）
２１，２７  電源
２２  受信機（ＲＸ）
２５  インターフェース
２８  パーソナルコンピュータ（ＰＣ）
Ｐ  ペット
【図１】
2007330200.tif 000003
【図２】
2007330200.tif 000004
【図３】
2007330200.tif 000005
【図４】
2007330200.tif 000006